(57)【要約】【課題】接続端子を覆うカバー部材と外装ケースとを一つのワイヤーで容易に係留できるとともに挿通部の幅を小さくできるプロジェクターを提供する。【解決手段】外部機器と接続する接続端子２６を備えたプロジェクター１は、天面２ｂおよび底面２ｄと、天面２ｂおよび底面２ｄと交差し接続端子２６が露出する背面２ｃと、を有する外装ケース２と、背面２ｃに取り付けられ、接続端子２６を覆うカバー部材３と、底面２ｄと背面２ｃとが交差する角部２ｅに設けられ、盗難防止用のワイヤーＷが挿通される挿通部２２と、カバー部材３における挿通部２２と対向する位置に設けられ、ワイヤーＷが挿通される挿通部３１と、を備えていることを特徴とする。【選択図】図２
2012078625.tif 000002
【特許請求の範囲】
【請求項１】
外部機器と接続する接続端子を備えたプロジェクターであって、
天面および底面と、前記天面および前記底面と交差し前記接続端子が露出する側面と、を有する外装ケースと、
前記側面に取り付けられ、前記接続端子を覆うカバー部材と、
前記底面と前記側面とが交差する角部に設けられ、盗難防止用のワイヤーが挿通される第１の挿通部と、
前記カバー部材における前記第１の挿通部と対向する位置に設けられ、前記ワイヤーが挿通される第２の挿通部と、
を備えていることを特徴とするプロジェクター。
【請求項２】
請求項１に記載のプロジェクターであって、
前記第１の挿通部は、前記角部から前記外装ケースの内側に窪んだ凹部と、前記角部において前記凹部に架設された棒状部材と、を有し、
前記第２の挿通部は、前記凹部に対応して設けられた開口部と、当該開口部の前記角部側に前記棒状部材に沿って延在する板状部と、を有していることを特徴とするプロジェクター。
【請求項３】
請求項２に記載のプロジェクターであって、
前記第２の挿通部は、前記角部側の端部から前記板状部まで切り欠かれた切欠部をさらに有していることを特徴とするプロジェクター。
【発明の詳細な説明】
【技術分野】
【０００１】
本発明は、プロジェクターに関する。
【背景技術】
【０００２】
外部機器とケーブルを介して接続するための接続端子を備え、外部機器から入力される画像情報に応じて光束を変調してスクリーン等に投写するプロジェクターが知られている。このようなプロジェクターでは、ケーブルが接続されるとケーブルのコネクター等が接続端子から突出した状態となり、外観上好ましくない。そこで、外装ケースに取り付けられ、接続端子やコネクター等を覆うカバー部材を備えたプロジェクターが提案されている（例えば、特許文献１参照）。
【０００３】
また、外装ケースに盗難防止用のワイヤーを挿通するための棒状部材を有する挿通部を備え、挿通部にワイヤーを挿通して係留することにより盗難防止を図ることができるプロジェクターが知られている。このようなプロジェクターで、接続端子やコネクター等を覆うカバー部材をさらに備え、カバー部材の開口部を通して外装ケースの挿通部に係留する構成のプロジェクターが登場している。このようなプロジェクターの構成によれば、接続端子やコネクター等を覆うカバー部材が外装ケースから取り外しにくくなるので、プロジェクターの盗難をより効果的に防止することができる。
【先行技術文献】
【特許文献】
【０００４】
【特許文献１】特開２００４−２０７４００号公報
【発明の概要】
【発明が解決しようとする課題】
【０００５】
しかしながら、上述した外装ケースの挿通部にカバー部材を係留するプロジェクターでは、カバー部材の開口部がワイヤーを挿通できるだけの大きさを有していない。そのため、外装ケースの挿通部に盗難防止用のワイヤーを挿通して係留するのとは別に、カバー部材を外装ケースの挿通部（棒状部材）に係留するための南京錠等の部材が別途必要になるという課題があった。また、外装ケースの挿通部において、棒状部材がワイヤーを巻く部分だけでなくカバー部材を係留するための部材を巻く部分を必要とするため、棒状部材の長さがその分が長くなり、挿通部の幅が大きくなってしまうという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、外部機器と接続する接続端子を備えたプロジェクターであって、天面および底面と、前記天面および前記底面と交差し前記接続端子が露出する側面と、を有する外装ケースと、前記側面に取り付けられ、前記接続端子を覆うカバー部材と、前記底面と前記側面とが交差する角部に設けられ、盗難防止用のワイヤーが挿通される第１の挿通部と、前記カバー部材における前記第１の挿通部と対向する位置に設けられ、前記ワイヤーが挿通される第２の挿通部と、を備えていることを特徴とする。
【０００８】
この構成によれば、外装ケースの底面と側面とが交差する角部に設けられた第１の挿通部と、外装ケースの側面に取り付けられたカバー部材の角部側に設けられた第２の挿通部とが対向している。そのため、外装ケースの第１の挿通部に挿通する盗難防止用のワイヤーをカバー部材の第２の挿通部にも挿通して、外装ケースとカバー部材とを一緒に係留することができる。
【０００９】
［適用例２］上記適用例に係るプロジェクターであって、前記第１の挿通部は、前記角部から前記外装ケースの内側に窪んだ凹部と、前記角部において前記凹部に架設された棒状部材と、を有し、前記第２の挿通部は、前記凹部に対応して設けられた開口部と、当該開口部の前記角部側に前記棒状部材に沿って延在する板状部と、を有していることが好ましい。
【００１０】
この構成によれば、第１の挿通部は角部から内側に窪んだ凹部と角部において凹部に架設された棒状部材とを有し、第２の挿通部は前記凹部に対応して設けられた開口部と、棒状部材に沿って延在する板状部とを有している。カバー部材の側面側は開口しているので、棒状部材および板状部の天面側には、凹部から開口部に連続する空間が存在する。そのため、一つのワイヤーを凹部側から開口部側に、またはその反対側に挿通し、容易に棒状部材および板状部の周囲を巻くようにして係留することができる。また、第１の挿通部と第２の挿通部とに個別のワイヤーを挿通する場合に比べて、棒状部材の長さを短くすることができる。
【００１１】
［適用例３］上記適用例に係るプロジェクターであって、前記第２の挿通部は、前記角部側の端部から前記板状部まで切り欠かれた切欠部をさらに有していることが好ましい。
【００１２】
この構成によれば、カバー部材における角部側から板状部まで切欠部を有しているので、棒状部材と板状部との間に切欠部による隙間が存在する。そのため、ワイヤーをこの切欠部による隙間から凹部に、またはその反対に挿通して棒状部材の周囲を巻くことにより、外装ケースのみを係留することが可能となる。
【図面の簡単な説明】
【００１３】
【図１】第１の実施形態に係るプロジェクターの概略構成を示す模式図。
【図２】第１の実施形態に係るプロジェクターを示す斜視図。
【図３】第１の実施形態に係るプロジェクターの挿通部を示す平面図および断面図。
【図４】カバー部材を備えた従来のプロジェクターの一例を説明する図。
【発明を実施するための形態】
【００１４】
以下に、本発明の一実施形態について図面を参照して説明する。なお、参照する各図面において、構成をわかりやすく示すため、各構成要素の寸法の比率、角度等は適宜異ならせてある。
【００１５】
（第１の実施形態）
＜プロジェクターの構成＞
まず、第１の実施形態に係るプロジェクターの概略構成について、図１を参照して説明する。図１は、第１の実施形態に係るプロジェクターの概略構成を示す模式図である。第１の実施形態に係るプロジェクター１は、光源から射出される光束を画像情報に応じて変調してスクリーン等の投写面に拡大投写する電子機器である。
【００１６】
なお、以下の図および説明では、投写光学装置６００から光束が投写される方向を＋Ｘ方向とし、光源装置１００から光束が射出される方向を＋Ｙ方向とする。さらに、Ｘ方向およびＹ方向に直交し、かつ、図２（ａ）の図面視における上方向を＋Ｚ方向とする。すなわち、Ｘ，Ｙ，Ｚで示される各方向は、それぞれ互いに直交する。また、プロジェクター１において、＋Ｘ側（光束射出側）の面を正面と呼び、その反対側の面を背面と呼ぶ。そして、＋Ｚ側（据置き姿勢での上方側）の面を天面と呼び、その反対側の面を底面と呼ぶ。
【００１７】
図１に示すように、プロジェクター１は、外装ケース２と、光源装置１００と、照明光学装置２００と、色分離光学装置３００と、リレー光学装置４００と、光変調装置５００と、投写光学装置６００とを備えている。光源装置１００、照明光学装置２００、色分離光学装置３００、リレー光学装置４００、光変調装置５００、および投写光学装置６００は外装ケース２内に収納され固定されている。
【００１８】
また、図示を省略するが、プロジェクター１は、外装ケース２内における空間に、プロジェクター１内部を冷却するためのファン、プロジェクター１内部の各構成部材に電力を供給する電源装置、プロジェクター１内部の各構成部材を制御する制御装置、プロジェクター１の電源オン／オフや投写される画像の画質調整等のための操作部等をさらに備えている。
【００１９】
光源装置１００は、光束を射出する発光管１１０と、リフレクター１２０とを備えている。発光管１１０は、超高圧水銀ランプやメタルハライドランプ等からなる。光源装置１００は、発光管１１０から射出された光束をリフレクター１２０で反射させて射出方向を揃え、照明光学装置２００に向けて射出する。照明光軸ＯＣは、光源装置１００から被照明領域側に射出される光束の中心軸である。
【００２０】
照明光学装置２００は、第１のレンズアレイ２１０と、第２のレンズアレイ２２０と、偏光変換素子２３０と、重畳レンズ２４０とを備えている。照明光学装置２００は、光源装置１００から射出された光束を複数の部分光束に分割し、各部分光束を略１種類の偏光光に揃えて、照明対象である３つの液晶装置５２０Ｒ，５２０Ｇ，５２０Ｂの光入射面上に重畳させる。
【００２１】
色分離光学装置３００は、第１のダイクロイックミラー３１０と、第２のダイクロイックミラー３２０と、反射ミラー３３０とを備えている。色分離光学装置３００は、照明光学装置２００から射出された光束を、赤色（Ｒ）光、緑色（Ｇ）光、青色（Ｂ）光の３色の色光に分離する。
【００２２】
リレー光学装置４００は、入射側レンズ４１０と、リレーレンズ４２０と、反射ミラー４３０，４４０とを備えている。リレー光学装置４００は、色分離光学装置３００で分離されたＢ光をＢ光用の液晶装置５２０Ｂまで導く。なお、本実施形態では、リレー光学装置４００がＢ光を導く構成としているが、これに限定されず、例えば、Ｒ光を導く構成としてもよい。
【００２３】
光変調装置５００は、フィールドレンズ５１０Ｒ，５１０Ｇ，５１０Ｂと、入射側偏光板（図示省略）と、液晶装置５２０Ｒ，５２０Ｇ，５２０Ｂと、射出側偏光板（図示省略）と、クロスダイクロイックプリズム５３０とを備えている。入射側偏光板および射出側偏光板は、液晶装置５２０Ｒ，５２０Ｇ，５２０Ｂ毎に設けられている。
【００２４】
液晶装置５２０Ｒ，５２０Ｇ，５２０Ｂは、色分離光学装置３００で分離された各色光を画像情報に応じて変調する。クロスダイクロイックプリズム５３０は、４つの直角プリズムを貼り合わせた平面視略正方形状をなし、直角プリズム同士を貼り合わせた界面には、２つの誘電体多層膜が形成されている。クロスダイクロイックプリズム５３０は、液晶装置５２０Ｒ，５２０Ｇ，５２０Ｂにて変調された各色光を合成し、投写光学装置６００側に射出する。
【００２５】
投写光学装置６００は、複数のレンズと複数のレンズを内部に収納する筒状の鏡筒とで構成される（具体的な図示は省略）。投写光学装置６００は、光変調装置５００で変調され合成された光束をスクリーン等の投写面上に射出する。これにより、投写面上に画像が拡大投写される。
【００２６】
＜外装ケースおよびカバー部材の構成＞
次に、第１の実施形態に係るプロジェクターの外装ケースおよびカバー部材の構成について、図２および図３を参照して説明する。
【００２７】
図２は、第１の実施形態に係るプロジェクターを示す斜視図である。詳しくは、図２（ａ）はプロジェクターを正面側かつ天面側から見た斜視図であり、図２（ｂ）はプロジェクターを背面側かつ底面側から見た斜視図である。また、図３は、第１の実施形態に係るプロジェクターの挿通部を示す平面図および断面図である。詳しくは、図３（ａ）はプロジェクターを底面側から見た平面図であり、図３（ｂ）は図３（ａ）におけるＡ−Ａ線に沿った断面図である。なお、図２（ａ）では外装ケース２にカバー部材３が取り付けられていない状態を示しており、図２（ｂ）および図３（ａ），（ｂ）では外装ケース２にカバー部材３が取り付けられた状態を示している。
【００２８】
図２（ａ）および（ｂ）に示すように、外装ケース２は、プロジェクター１の正面２ａ、天面２ｂ、側面としての背面２ｃ、底面２ｄを構成している。正面２ａおよび背面２ｃと、天面２ｂおよび底面２ｄとは互いに交差している。底面２ｄは略矩形状を有し、背面２ｃと交差する角部２ｅ側の辺はＹ方向に略平行である。外装ケース２は、例えば合成樹脂製の筐体である。なお、外装ケース２は、合成樹脂製に限定されず、その他の材料、例えば金属等により構成されていてもよい。
【００２９】
外装ケース２は、正面２ａに設けられた光束通過用開口部２１を有している。光束通過用開口部２１は、投写光学装置６００から射出される光束を通過させるためのものであり、投写光学装置６００と対向するように設けられている。また、図示を省略するが、天面２ｂには、プロジェクター１の電源オン／オフや投写される画像の画質調整等のための操作部等が設けられている。
【００３０】
図２（ｂ）に示すように、背面２ｃには、接続端子部２５が配置されている。接続端子部２５には、外部機器との間で画像情報等の信号を入力または出力するための複数の接続端子２６が露出した状態で配設されている。接続端子２６には、外部機器と接続されたケーブル２７のコネクター２７ａ等が接続される。なお、図２（ｂ）では、ケーブル２７のうちコネクター２７ａ側の端部以外の図示を省略している。
【００３１】
背面２ｃと底面２ｄとが交差する角部２ｅには、第１の挿通部としての挿通部２２が設けられている。挿通部２２は、角部２ｅから外装ケース２の内側に窪んだ凹部２３と、角部２ｅにおいて凹部２３に架設された棒状部材２４とで構成される。棒状部材２４は、Ｙ方向に沿って延在しており、その両端は外装ケース２に固定されている。棒状部材２４は、セキュリティバーと呼ばれるものであり、例えば金属で構成されている。
【００３２】
挿通部２２は、他端が机上や天井等の不動物に固定された盗難防止用のワイヤーＷ（図３（ｂ）参照）等を凹部２３に挿通し、棒状部材２４の周囲を巻くようにして外装ケース２（プロジェクター１）を係留することにより、プロジェクター１の盗難防止を図るためのものである。なお、棒状部材２４は、底面２ｄから突出しないように設けられているので、邪魔になりにくく、かつ目立ちにくくなっている。
【００３３】
カバー部材３は、外装ケース２の背面２ｃに、ネジ３６により着脱可能に取り付けられている。カバー部材３は、背面２ｃ側が背面２ｃの外形に対応して開口した箱状の形状を有している。カバー部材３は、接続端子部２５を覆うことにより、接続端子２６や接続端子２６に接続されたコネクター２７ａ等が露出することによる見栄えの低下を抑えるためのものである。カバー部材３は、例えば合成樹脂等により構成されている。カバー部材３は、主にプロジェクター１が天吊り姿勢で設置される状態において、外装ケース２に取り付けられて使用される。
【００３４】
カバー部材３の底面２ｄ側の面３ａには、第２の挿通部としての挿通部３１が挿通部２２と隣り合うように設けられている。挿通部３１は、切欠部３２と、開口部３３と、切欠部３２と開口部３３との間に位置する板状部３４とで構成される。切欠部３２は、底面２ｄ側（−Ｚ側）からの平面視でカバー部材３の角部２ｅ側から略矩形状に切り欠かれた部分である。開口部３３は、略矩形であり、切欠部３２の−Ｘ側に配置されている。切欠部３２および開口部３３は、Ｙ方向において棒状部材２４の延在する範囲に対応して設けられている。
【００３５】
板状部３４は、棒状部材２４に沿って延在している。板状部３４は、セキュリティバーとしての機能を有する。板状部３４は、カバー部材３のうち切欠部３２と開口部３３との間に残された部分であり、面３ａから突出していないので、邪魔になりにくく、かつ目立ちにくくなっている。
【００３６】
挿通部３１は、挿通部２２と同様に、盗難防止用のワイヤーＷ等を挿通してカバー部材３を係留することによりプロジェクター１の盗難防止を図るためのものである。カバー部材３が係留されていると、接続端子部２５を覆うカバー部材３を外装ケース２から取り外すことが困難になるため、接続端子２６に接続されたコネクター２７ａが取り外しにくくなる。これにより、プロジェクター１の盗難防止効果をより高めることができる。
【００３７】
また、カバー部材３の面３ａには、角部２ｅ側から切り欠かれたケーブル挿通部３５が設けられている。ケーブル挿通部３５は、コネクター２７ａが接続端子２６に接続されたケーブル２７を挿通するためのものである。接続端子２６に接続されたケーブル２７をカバー部材３の内側で底面２ｄ側（−Ｚ側）に屈曲させ、ケーブル挿通部３５に挿通して引き回すことにより、ケーブル２７が複数ある場合でも各ケーブル２７の引き回し方向が揃い易いので、見栄えを向上できる。
【００３８】
ここで、本実施形態のプロジェクター１における挿通部２２および挿通部３１の効果を、カバー部材を備えた従来のプロジェクターの挿通部と比較して説明する。図４は、カバー部材を備えた従来のプロジェクターの一例を説明する図である。詳しくは、図４（ａ）はカバー部材を備えた従来のプロジェクター１１を背面側かつ底面側から見た斜視図であり、図４（ｂ）は挿通部１４周辺の拡大図である。
【００３９】
図４（ａ），（ｂ）に示すように、従来のプロジェクター１１は外装ケース１２を備え、外装ケース１２にカバー部材１３が取り付けられている。外装ケース１２には、挿通部１４が設けられている。挿通部１４は、凹部１５と棒状部材１６とで構成される。カバー部材１３には、挿通部１４側に脚状に突出する挿通部１７が設けられている。挿通部１７は、棒状部材１６と対向する部分に開口部１７ａを有している。
【００４０】
挿通部１４においては、盗難防止用のワイヤーＷが凹部１５に挿通され、棒状部材１６の周囲を巻くようにして外装ケース１２（プロジェクター１１）が係留される。ワイヤーＷの他端が机上や天井等の不動物に固定されることで、プロジェクター１１の盗難防止が図られる。また、挿通部１７は、例えば南京錠Ｋで、開口部１７ａを通して棒状部材１６に固定されることにより、カバー部材１３が外装ケース１２に係留される。
【００４１】
このような従来のプロジェクター１１の構成では、ワイヤーＷの先端のループ部Ｗ１が開口部１７ａを通過できないため、外装ケース１２とカバー部材１３とを一本のワイヤーＷで一緒に係留することは困難である。そのため、挿通部１４に挿通するワイヤーＷの他に、挿通部１７と挿通部１４とに挿通する南京錠Ｋ等が必要となる。また、挿通部１４はワイヤーＷが挿通される部分と挿通部１７が係留される部分とを必要とするため、挿通部１７が係留される部分がない場合に比べて、棒状部材１６が長くなり凹部１５がＹ方向に大きくなってしまう。
【００４２】
図３（ａ），（ｂ）に示す本実施形態のプロジェクター１の構成によれば、以下の効果が得られる。
【００４３】
（１）棒状部材２４に沿って板状部３４が配置されており、棒状部材２４および板状部３４と交差する方向における外側（＋Ｘ側と−Ｘ側と）に、凹部２３と開口部３３とが配置されている。カバー部材３の背面２ｃ側は開口しているので、棒状部材２４および板状部３４の天面２ｂ側（＋Ｚ側）には、凹部２３から開口部３３に連続する空間が存在する。そのため、一つのワイヤーＷを凹部２３側から開口部３３側に、またはその反対側に挿通し、容易に棒状部材２４および板状部３４の周囲を巻くようにして、カバー部材３（プロジェクター１）とカバー部材３とを一緒に係留することができる。また、挿通部２２と挿通部３１とに個別のワイヤーを挿通する場合に比べて、一本のワイヤーＷを挿通すればよいので、棒状部材２４の長さを短くすることができる。
【００４４】
（２）カバー部材３における板状部３４の角部２ｅ側に切欠部３２を有しているので、棒状部材２４と板状部３４との間に切欠部３２による隙間が存在する。そのため、ワイヤーＷをこの切欠部３２による隙間から凹部２３に、またはその反対に挿通して棒状部材２４の周囲を巻くことにより、外装ケース２にカバー部材３を取り付けた状態で外装ケース２（プロジェクター１）のみを係留することが可能である。なお、このようにした場合、外装ケース２（プロジェクター１）を係留した状態で、カバー部材３を取り外して接続端子２６にコネクター２７ａを挿抜することができる。
【００４５】
以上、本発明のプロジェクターを上記の実施形態に基づいて説明したが、本発明はこれに限定されるものではなく、本発明の趣旨から逸脱しない範囲で様々な変形を加えることができる。変形例としては、例えば以下のようなものが考えられる。
【００４６】
（変形例１）
上記実施形態におけるプロジェクター１では、カバー部材３における板状部３４の角部２ｅ側に切欠部３２を有していたが、このような構成に限定されない。カバー部材３における板状部３４の角部２ｅ側に切欠部３２を有していない構成としてもよい。
【００４７】
外装ケース２とカバー部材３とをいつも一緒に係留し外装ケース２のみを係留することがない場合、角部２ｅ側に切欠部３２を設けないことにより、板状部３４を棒状部材２４により近付けて配置することができる。これにより、ワイヤーＷで棒状部材２４と板状部３４との周囲をより容易に巻いて外装ケース２とカバー部材３とを係留することができる。
【００４８】
（変形例２）
上記実施形態におけるプロジェクター１は、光を透過し光束入射面と光束射出面とが異なる透過型の液晶装置５２０を備えた透過型のプロジェクターであるが、本発明はこれに限定されるものではない。プロジェクターは、光を反射し光束入射面と光束射出面とが同一となる反射型の液晶装置を備えた反射型のプロジェクターであってもよい。反射型のプロジェクターに本発明を適用した場合にも、透過型のプロジェクターと同様の効果を得ることができる。  
【００４９】
（変形例３）
上記実施形態におけるプロジェクター１は光変調装置に３つの液晶装置５２０を用いたプロジェクターであるが、本発明はこれに限定されるものではない。本発明は、例えば、１つ、２つまたは４つ以上の液晶装置を用いたプロジェクターにも適用することができる。
【００５０】
（変形例４）
上記実施形態のプロジェクター１の構成では、光変調装置に液晶装置５２０を用いているが、本発明はこれに限定されるものではない。光変調装置としては、一般に、画像情報に応じて入射光を変調するものであればよく、マイクロミラー型光変調装置等を利用してもよい。マイクロミラー型光変調装置としては、例えば、ＤＭＤ（デジタルマイクロミラーデバイス）（ＴＩ社の商標）を用いることができる。
【符号の説明】
【００５１】
１，１１…プロジェクター、２…外装ケース、２ａ…天面、２ｂ…底面、２ｃ…背面、２ｅ…角部、３…カバー部材、２２…第１の挿通部としての挿通部、２３…凹部、２４…棒状部材、２６…接続端子、３１…第２の挿通部としての挿通部、３２…切欠部、３３…開口部、３４…板状部。
【図１】
2012078625.tif 000003
【図２】
2012078625.tif 000004
【図３】
2012078625.tif 000005
【図４】
2012078625.tif 000006